(57)【要約】【課題】全体若しくは一部の領域において、地色と異なる色を表出する浴槽や、キッチンカウンターなどの水回り住宅設備用成形品を提供すること。【解決手段】着色された顔料を地色とする不飽和ポリエステル樹脂等からなる熱可塑性樹脂１１と、当該熱可塑性樹脂に混ぜられた示温材１２とを成形材料として浴槽Ｗや、キッチンカウンターＣ等が一体成形されている。示温材１２は、特定の温度領域（範囲）で顔料の色である地色と異なる色を表出する第１及び第２示温材１２Ａ、１２Ｂを含む。これら示温材１２Ａ、１２Ｂが発色する温度領域は異なっており、成形品の温度が使用環境に応じて変化して第１示温材１２Ａが発色する温度領域になったときに地色と異なる色を発色し、第２示温材１２Ｂが発色する温度領域になったときに異なる色を発色する。【選択図】図１
2016007377.tif 000002
【特許請求の範囲】
【請求項１】
熱硬化性樹脂に示温材を分散させて一体成形した水回り住宅設備用成形品であって、前記示温材は、複数種の示温材からなり、異なる温度域で発色することを特徴とする水回り住宅設備用成形品。
【請求項２】
前記示温材は、季節の温度に応じて発色することを特徴とする請求項１記載の水回り住宅設備用成形品。
【請求項３】
前記示温材は、基準温度を超えたときに、注意喚起可能な色を発色することを特徴とする請求項１記載の水回り住宅設備用成形品。
【発明の詳細な説明】
【技術分野】
【０００１】
本発明は水回り住宅設備用成形品に係り、更に詳しくは、特定の温度域において、全体若しくは一部の領域が地色と異なる色を表出することのできる水回り住宅設備用成形品に関する。
【背景技術】
【０００２】
システムバスの浴槽や、キッチンカウンター、洗面ボウル等の水回り住宅設備は、熱硬化性樹脂等を成形材料とした一体成形品が用いられている。これら水回り住宅設備用成形品の中には、特定の温度で色を表出する特殊材料である示温材を熱硬化性樹脂に含ませて成形されたものが存在する。
例えば、特許文献１には、温度を表示する示温機能を有する浴槽が提案されている。
【先行技術文献】
【特許文献】
【０００３】
【特許文献１】特開平８−４８８号公報
【発明の概要】
【発明が解決しようとする課題】
【０００４】
特許文献１に開示された浴槽にあっては、不飽和ポリエステル樹脂等の熱硬化性樹脂に粒子状の示温材を分散させて金型成形されたものであるが、成形に用いられる示温材は１種類となっており、当該示温材は、湯が適温領域にあるときに、熱硬化性樹脂に含まれる顔料の色によって決定される地色と異なる色を表出する、というものである。
従って、特許文献１の例にあっては、湯の温度が適温になっているかどうかが浴槽内面の色を通じて把握できる一方、湯が熱くなりすぎても、注意を喚起するような色変化を表出させることはできない、という不都合がある。
なお、特許文献１は、異なる温度領域で異なる色を浴槽内面に表出させる構成も開示するが、当該構成は、特性が異なる複数の示温材を用いて複数種のシートを形成し、これを浴槽の内面側上下方向に順次配置するという構成であり、熱硬化性樹脂材料に示温材を配合して一体成形するものとはなっていない。また、このようなシートを用いた構成にあっては、シート材が剥がれ、入浴する者の身体の一部に引っ掛かりを生じさせる要因を回避し得ない。
【０００５】
［発明の目的］
本発明の目的は、このような不都合に着目して案出されたものであり、その目的は、温度領域が異なる複数の温度領域で異なる色を表出できるようにし、成形品の全体若しくは一部の領域において、樹脂の地色と異なる色を表出するようにし、成形品の温度状態を視覚的に把握することができる浴槽、キッチンカウンター、洗面ボウル等の水回り住宅設備用成形品を提供することにある。
【課題を解決するための手段】
【０００６】
前記目的を達成するため、本発明は、特許請求の範囲記載の構成を採用したものである。具体的には、熱硬化性樹脂に示温材を分散させて一体成形した水回り住宅設備用成形品であって、前記示温材は、複数種の示温材からなり、異なる温度域で発色することを特徴とする、という構成を採っている。ここで、複数種の示温材とは、変色する温度域が各々異なる示温材を言う。
【０００７】
本発明において、前記示温材は、季節の温度に応じて発色するものを用いることが好ましい。
【０００８】
また、前記示温材は、基準温度を超えたときに、注意喚起可能な色を発色するようにしてもよい。
【発明の効果】
【０００９】
本発明によれば、異なる温度領域で所定の色を表出する複数種の示温材を熱硬化性樹脂材に混ぜて成形しているので、例えば、用いられる１の示温材が湯の適温領域で特定の色を表出可能となるようにする一方で、別の示温材が湯の適温を上回る温度や、下回る温度領域でそれぞれ他の色を表出するようにしておくことで、視覚を通じて、湯加減を把握若しくは知得することができる。
また、示温材が季節の温度変化で発色するものであれば、例えば、暑い時期に涼しげな色を表出させる一方で、寒い時期に暖色系の色に変化するような機能を担わせることができる。
更に、成形品の一部が熱くなっても、当該部分において、地色と異なる色を発色させることで、火傷防止等を期待することができる。
【図面の簡単な説明】
【００１０】
【図１】（Ａ）は、成形材料の構成を示す説明図、（Ｂ）は、浴槽内内の湯温が上昇して水面下で地色と異なる色を表出した状態を示す説明図、（Ｃ）は、キッチンカウンターの一部領域が熱により地色と異なる色を表出した状態を示す説明図。
【発明を実施するための形態】
【００１１】
以下、本発明の実施形態について図面を参照しながら説明する。
図１（Ａ）に示されるように、本実施形態に係る水回り住宅設備用成形品１０は、例えば、白色顔料を添加したベース樹脂としての熱可塑性樹脂１１と、当該熱可塑性樹脂１１に混ぜられた示温材１２とを成形材料として所定の成形型により一体成形されている。熱硬化性樹脂１１としては、不飽和ポリエステル樹脂を好適に用いることができる。示温材１２は、或る特定の温度領域で所定の色を表出する粉末若しくは当該粉末を充填したカプセル等が用いられている。この示温材１２は、特に限定されるものではないが、本実施形態では、４０度未満では「透明」で、４０度以上で「赤色」に発色する第１示温材１２Ａと、３５度以上では「透明」で、３５度未満で「青色」に発色する第２示温材１２Ｂとを含んで構成されている。なお、本明細書におけるは、「色」は、特定の彩度、明度、色相によって限定されるものでなく、例えば、「赤色」と称しても、その彩度、明度等に一定の幅があるものを含む。
【００１２】
前記示温材としては、例えば、電子供与性呈色性有機化合物と、電子受容性化合物と、前記電子供与性呈色性有機化合物と電子受容性化合物の呈色反応の生起温度を決める反応媒体とからなる可逆熱変色性組成物が挙げられる。
前記可逆熱変色性組成物は、特公昭５１−４４７０６号公報、特公昭５１−４４７０７号公報、特公平１−２９３９８号公報、特公平４−１７１５４号公報等に記載された、加熱により消色し、冷却により発色する可逆熱変色性組成物、或いは、特開平１１−１２９６２３号公報、特開２００１−１０５７３２号公報、特開２００３−２５３１４９号公報等に記載された、電子受容性化合物としてアルコキシフェノール化合物、ヒドロキシ安息香酸エステル、没食子酸エステル等を用いた加熱により発色し、冷却により消色する可逆熱変色性組成物を例示できる。
前記可逆熱変色性組成物は、マイクロカプセルに内包して可逆熱変色性マイクロカプセル顔料として用いることが好ましい。これは、酸性物質、塩基性物質、過酸化物等の化学的に活性な物質と接触しても、その機能を低下させることがないことは勿論、耐熱安定性が保持できるためであり、種々の使用条件において可逆熱変色性組成物は同一の組成に保たれ、同一の作用効果を奏することができるからである。
なお、マイクロカプセル化は、公知の界面重合法、ｉｎ  Ｓｉｔｕ重合法、液中硬化被覆法、水溶液からの相分離法、有機溶媒からの相分離法、融解分散冷却法、気中懸濁被覆法、スプレードライング法等があり、適宜選択される。
【００１３】
上記水回り住宅設備用成形品としては、例えば、図１（Ｂ）に示されるように、浴槽Ｗに適用することができる他、図１（Ｃ）に示されるように、キッチンカウンターＣに適用することができる。
上記材料で浴槽Ｗを成形した場合には、湯温が４０度となったときに、図中網点で示した水面下の浴槽Ｗの内面で、第１示温材１２Ａが赤色に発色し、熱可塑性樹脂１１の地色を表出する周囲の「白色」と区別することができ、４０度未満となったときに、第１示温材１２Ａが透明となる一方で、３５度未満になったときに、第２示温材１２Ｂが発色して「青色」を表出することとなる。
また、上記材料でキッチンカウンターＣを構成した場合において、図１（Ｃ）中網点で示した領域Ａに４０度以上の加熱調理器具を置いた後に除去した直後では、領域Ａは「赤色」を表出し、領域Ａ以外の領域の地色の「白色」と区別されるようになり、領域Ａは視覚的に熱い部分であることが理解されるようになる。
なお、領域Ａに沸騰したやかん等を置いた直後で非常に高い温度となっているときは、異なる色を発色するようにすることもできる。
【００１４】
従って、このような実施形態によれば、異なる温度領域で異なる色を発色する示温材１２を用いたから、段階的な温度領域で、地色と区別できる色を水回り住宅設備用成形品１０に表出させることができる、という効果を得る。
そのため、地色と異なる色を表出したときの当該色に特別な意味を持たせることにより、成形品の用途に応じて、これの利用者に対し、視覚を通じて成形品の温度状態を認識させることができる。
例えば、上記したように、キッチンカウンターＣに加熱された鍋等を一時的において除去した場合、上記領域Ａが熱いかどうかは、通常は視覚で認識することができない。しかしながら、本実施形態によれば、領域Ａが「赤色」や、その他の色に変化し得るので、当該領域に触れないような注意喚起が可能となり、意図しない火傷等を回避することができる。
【００１５】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状その他の詳細な構成において、当業者が様々な変形を加えることができるものである。
【００１６】
例えば、前記実施形態では、湯の温度、加熱調理器具を置いたときの温度等で特定の領域が地色と異なる色で発色する場合を示したが、季節の温度や、人為的な基準温度に対して地色と異なる色を発色するようにしてもよい。
また、水回り住宅設備用成形品は、浴槽、キッチンカウンター、洗面ボウルに限らず、浴槽内の水栓下に配置するカウンター等、その他の成形品にも適用することができる。
【符号の説明】
【００１７】
１０…水回り住宅設備用成形品、１１…熱硬化性樹脂、１２、１２Ａ、１２Ｂ…示温材、Ｗ…浴槽、Ｃ…キッチンカウンター
【図１】
2016007377.tif 000003